(57)【要約】      （修正有）【課題】計画した削孔位置への削岩機の位置決めを可能とする複数のジョイントを備えたフィードビームアセンブリを持つ削孔ブームを提供する。【解決手段】削孔ブームは、手首部のフロントジョイントアセンブリ８を遠位端に備える基本ブーム部ＢＢを備える。手首部は、フィードビームアセンブリＦＢＡを基本ブーム部に接続する。手首部は、ロールオーバジョイント１５と、フィードチルトジョイント１６と、フィードスイングジョイント１７と、の３つのジョイントを有する。手首部のジョイントの順序は、ジョイントが上述の順序にある場合に最適である。削岩リグは、切羽削孔ユニット又はボルティングヘッドを備える、１つ以上のそのような削孔ブームを備える。【選択図】図２
2019218842.tif 000002
【特許請求の範囲】
【請求項１】
削岩リグ（１）の削孔ブーム（３）であって、前記削孔ブーム（３）は、
前記削岩リグ（１）のキャリア（２）に可動式に接続可能な第１の端部（ＢＢ１）、及び遠位の第２の端部（ＢＢ２）を含む、長細の基本ブーム部（ＢＢ）と、
削岩機（６）を支持するためのフィードビーム（５）を少なくとも備え、前記基本ブーム部（ＢＢ）の前記第２の端部（ＢＢ２）に配置されている、フィードビームアセンブリ（ＦＢＡ）と、
前記基本ブーム部（ＢＢ）の前記第２の端部（ＢＢ２）と前記フィードビームアセンブリ（ＦＢＡ）との間に配置されたフロントジョイント構成（８）であって、連続した３つの近位のフロントジョイントである、
前記基本ブーム部（ＢＢ）に接続されている第１のフロントジョイント、
前記フィードビームアセンブリ（ＦＢＡ）に接続されている第３のフロントジョイント、及び
前記第１のジョイントと前記第３のジョイントとの間に配置されている第２のフロントジョイント、を含む、フロントジョイント構成（８）と、
前記削孔ブーム（３）及び前記フィードビームアセンブリ（ＦＢＡ）を作動させる複数のブームアクチュエータ（１４）と
を備え、
前記第１のフロントジョイントは、旋回軸（１８）が前記基本ブーム部（ＢＢ）の長手軸（１９）に平行であるロールオーバジョイント（１５）であり、
前記第２のフロントジョイントは、旋回軸（２０）が前記ロールオーバジョイント（１５）の前記旋回軸（１８）に垂直であるフィードチルトジョイント（１６）であり、
前記第３のフロントジョイントは、旋回軸（２１）が前記フィードチルトジョイント（１６）の前記旋回軸（２０）に垂直であるフィードスイングジョイント（１７）である
ことを特徴とする、削孔ブーム（３）。
【請求項２】
前記基本ブーム部（ＢＢ）の前記第１の端部（ＢＢ１）は、前記削岩リグ（１）に対して前記削孔ブーム（３）を横方向に旋回させるスイングジョイント（９）と、前記削孔ブーム（３）を垂直方向に旋回させるリフトジョイント（１０）と、を備えるリアジョイントアセンブリ（１３）を備えていることを特徴とする、請求項１に記載の削孔ブーム。
【請求項３】
前記ロールオーバジョイント（１５）の前記旋回軸（１８）が前記基本ブーム部（ＢＢ）の前記長手軸（１９）上に配置されていることにより、前記旋回軸（１８）及び前記長手軸（１９）が同心をなすことを特徴とする、請求項１又は２に記載の削孔ブーム。
【請求項４】
前記フィードチルトジョイント（１６）の前記旋回軸（２０）は、前記基本ブーム部（ＢＢ）の長手方向に見て、前記フィードスイングジョイント（１７）よりも前記ロールオーバジョイント（１５）の近くに配置されていることを特徴とする、請求項１から３のいずれか一項に記載の削孔ブーム。
【請求項５】
前記フィードチルトジョイント（１６）及び前記フィードスイングジョイント（１７）が、前記ロールオーバジョイント（１５）の前記旋回軸（１８）の互いに対向する側に配置されていることを特徴とする、請求項１から４のいずれか一項に記載の削孔ブーム。
【請求項６】
前記フィードビームアセンブリ（ＦＢＡ）の前記フィードビーム（５）の向きが、前記フィードスイングジョイント（１７）の前記旋回軸（２１）に平行であることを特徴とする、請求項１から５のいずれか一項に記載の削孔ブーム。
【請求項７】
前記フィードビームアセンブリ（ＦＢＡ）の前記フィードビーム（５）の向きが、前記フィードスイングジョイント（１７）の前記旋回軸（２１）に垂直であることを特徴とする、請求項１から５のいずれか一項に記載の削孔ブーム。
【請求項８】
前記基本ブーム部（ＢＢ）が、前記第１の端部（ＢＢ１）と前記第２の端部（ＢＢ２）の間にいかなる旋回可能又は回転ジョイントも有さないことを特徴とする、請求項１から７のいずれか一項に記載の削孔ブーム。
【請求項９】
前記フロントジョイント構成（８）の構造が前記基本ブーム部（ＢＢ）の前記長手軸（１９）に対して対称であることにより、前記削孔ブーム（３）が前記削岩リグ（１）の左ブームとしても右ブームとしても実装可能であることを特徴とする、請求項１から８のいずれか一項に記載の削孔ブーム。
【請求項１０】
前記ブームアクチュエータ（１４）が油圧アクチュエータであることを特徴とする、請求項１から９のいずれか一項に記載の削孔ブーム。
【請求項１１】
移動可能なキャリア（２）と、
前記キャリア（２）に可動式に接続されており、フィードビーム（５）を備えるフィードビームアセンブリ（ＦＢＡ）を備える、少なくとも１つの削孔ブーム（３）と、
前記フィードビーム（５）に支持された削岩機（６）と、を備える削岩リグ（１）であって、
前記削孔ブーム（３）は、前記削岩機（６）に接続可能な削孔ツール（７）を削孔現場での削孔ポイントに向けて位置決めするための複数のブームジョイント及びブームアクチュエータ（１４）を備え、
前記削孔ブーム（３）は、請求項１から１１のいずれか一項に記載の削孔ブーム（３）であって、３つの連続するジョイントである、前記ロールオーバジョイント（１５）と、前記フィードチルトジョイント（１６）と、前記フィードスイングジョイント（１７）と、を備える前記フロントジョイント構成（８）備えることを特徴とする、削岩リグ（１）。
【請求項１２】
前記削岩機（６）は、前記フィードビーム（５）の長手方向に平行な削孔中心線（ＤＣ）を画定し、
前記削孔中心線（ＤＣ）上で、削孔中に削孔ツール（７）が回転し、
前記削孔中心線（ＤＣ）は、前記ロールオーバジョイント（１５）の前記旋回軸（１８）に対して測定した横断距離である削孔中心線高さ（ｄｃｈ）を有し、
前記削孔中心線高さ（ｄｃｈ）が少なくとも１０００ｍｍであることを特徴とする、請求項１１に記載の削岩リグ。
【発明の詳細な説明】
【技術分野】
【０００１】
本発明は、削岩リグの削孔ブームに関する。削孔ブームは、岩盤面に発破孔又はボルティング孔を削孔するための削岩機を備えるフィードビームアセンブリを備えている。該ブームは、計画した削孔位置への削岩機の位置決めを可能とする複数のジョイントを備える。
本発明はさらに、削岩リグに関する。
本発明の分野は、独立請求項のプリアンブルにて、より具体的に定義されている。
【背景技術】
【０００２】
採掘において、及び他の作業現場にて、様々な種類の削岩リグが使用されている。削岩リグは１つ以上のブームを備えており、各ブームの遠位端には削岩ユニットが配置されている。削岩ユニットはフィードビームを備える。削孔工程中、削岩機はフィードビームに沿って動くよう構成されている。削孔ブームは複数のジョイントを備え、発破又は支持を目的として、ドリル孔を削孔するための所望する削孔ポイントに、削岩機を位置決め可能となっている。しかし、これら従来の削孔ブームには、それらの運動及び所望する削孔位置に到達する能力に関して、いくつかの問題があった。
【発明の概要】
【０００３】
本発明の目的は、新規かつ改良された削孔ブーム、及びそのような削孔ブームを備える削岩リグを提供することである。
【０００４】
本発明に係る削孔ブームは、第１の独立装置請求項の特徴的特性により特徴付けられている。
【０００５】
本発明に係る削岩リグは、第２の独立装置請求項の特徴的特性により特徴付けられている。
【０００６】
開示されたソリューションの概念は、次の通りである。削孔ブームは基本ブーム部又はアームを備える。基本ブーム部又はアームは長細で、第１の端部が削岩リグのキャリアに接続可能である。アームの第２の端部はフロントジョイント構成又は手首部であり、これはフィードビームアセンブリをアームに接続する。フィードビームアセンブリは切羽削孔ユニット又はボルティングヘッドであってよく、少なくともフィードビームと、フィードビーム上に支持された削岩機と、を備える。削孔ブームは、削岩機及び削岩機に接続可能な削孔ツールを、計画した削孔位置及び方向に位置決めするための、複数のジョイント及びブームアクチュエータを備える。手首部は３つの連続するジョイントを有し、これらは互いの近傍に配置されている。各ジョイントは、特定の順序で配置されている。ロールオーバジョイントがアームに最も近く、フィードチルトジョイントがこれに続く。フィードスイングジョイントは、フィードビームアセンブリに最も隣接している。したがって、手首部の実行可能な動作が、最適な順序、すなわち、ロールオーバ−チルト−スイングの順に配列されている。
【０００７】
開示されたソリューションの利点は、フロントジョイントアセンブリ又は手首部がリーチ特性を向上させることである。切羽削孔ユニット又はボルティングヘッドであり得るフィードビームアセンブリは、トンネル又は岩盤内空洞の壁面、天井、及び床面付近に位置する、困難と思われる発破作業位置及びロックボルト削孔位置に位置決めされ得る。
【０００８】
開示された手首部はまた、切羽削孔ユニットに対しての、並びに、ボルタヘッドに対しての、新たな動作及び削孔配向を可能とする。切羽削孔ユニットは、削岩リグの駆動方向に対して垂直に向けられ得るので、削孔におけるクロスカットが可能となる。ボルティングの実装に関して、この手首部のソリューションによって、ボルティングヘッドを前方すなわち打ち込み方向にも直接向けることができるので、切羽ボルティングもまた可能である。これらの新たに可能となった削孔方向により、削孔ブームはより有効に利用される。
【０００９】
新たな手首部により可能となったさらなる使用例は、次の通りである。切羽削孔ユニット及びボルティングヘッドは、大型削孔機又はボルティングリグのキャリアに向けて後ろ方向に旋回するよう構成され得る。これにより、ドリルビット及び他の削孔ツール及びボルティング器具を、キャリア付近にて便利かつ安全に交換し装填することができる。
【００１０】
開示されたソリューションのさらなる利点は、次の通りである。該フロントジョイントアセンブリ又は手首部は、トンネル掘削を目的とする切羽削孔ブーム、及び岩盤ボルティングを目的とする扇形削孔ブームに適している。したがって、本ブーム及び手首部のソリューションは、大型トンネル掘削機の切羽削孔ユニットの担持及びボルタのボルティングヘッドの保持のために実装され得る。これはもちろん、製造、保守点検サービス、及び全体の省コストにおいて利点がある。
【００１１】
ある実施形態によると、基本ブーム部又はアームの第１の端部は、リアジョイントアセンブリを備えている。該アセンブリは、削岩リグに対して削孔ブームを横方向に旋回させるためのスイングジョイントを備える。該アセンブリはさらに、削孔ブームを垂直方向に旋回させるためのリフトジョイントを備える。したがって、リアジョイントアセンブリは、２段階の自由度（２ＤＯＦ）を伴う削孔ブームを提供する。
【００１２】
ある実施形態によると、削孔ブームの第１の端部は、リアジョイントアセンブリによって取り付け板に接続されている。取り付け板は、その取り付け板を削岩リグのキャリアに固定するための固定要素を備えている。取り付け板は、削孔ブームの、異なる種類のキャリアへの取り付けを容易にし、削孔ブームに対する適切な支持を提供する。
【００１３】
ある実施形態によると、基本ブーム部又はアームの第１の端部と第２の端部との間にはリニアジョイントがあり、これにより、基本ブーム部は長手方向に伸長可能となっている。リニアジョイントは、基本ブーム部の第１の端部と第２の端部との間の唯一のジョイントである。換言すると、該アームは、第１の端部と第２の端部との間にいかなる旋回可能又は回転ジョイントも有しない。これにより、基本ブーム部はその端部の間に、比較的に簡易で、耐久性があり、そして軽量な構造を有することができ、さらに、その両端における該ジョイント構成及びそれらの間のリニアズームジョイントが、良好なリーチ、並びに、様々な目的の削孔位置及び方向への配置を確実にする。該アームは、合計で３つの段階の自由度（３ＤＯＦ）、すなわち、スイング、リフト、及びズームを有する。
【００１４】
ある実施形態によると、ロールオーバジョイントの旋回軸は、基本ブーム部の長手軸上に配置されている。換言すると、旋回軸及び長手軸は同心をなしている。本実施形態により、ロールオーバジョイントの取り付けが容易となり、ジョイントに向けられた積載荷重が好適に制御される。
【００１５】
ある実施形態によると、フィードチルトジョイントの旋回軸は、基本ブーム部の長手方向に見て、フィードスイングジョイントよりもロールオーバジョイントに隣接して配置されている。換言すると、フィードチルトジョイントの旋回軸とロールオーバジョイントとの間の距離は、フィードチルトジョイントの旋回軸とフィードスイングジョイントとの間の距離よりも小さい。なお、次に留意されたい、すなわち、フィードチルトジョイントがロールオーバジョイントの近位に配置されている場合、向上したリーチ特性が達成され得、基本ブーム部とフィードビームアセンブリとの衝突が好適に回避され得る。
【００１６】
ある実施形態によると、フィードチルトジョイントの旋回軸の延長線とフィードスイングジョイントの旋回軸の延長線は交差しない。フィードチルトジョイントとフィードスイングジョイントとの間には、物理的な接続要素があってよく、これにより、該ジョイントは互いに離れている。フィードチルトジョイントの旋回軸とフィードスイングジョイントの旋回軸との間の距離は、２００ｍｍ〜３００ｍｍの範囲に収まり得る。フィードチルトジョイントとフィードスイングジョイントとの間には、物理的な接続要素があってよく、これにより、該ジョイントは互いに離れている。
【００１７】
ある実施形態によると、フィードチルトジョイント及びフィードスイングジョイントは、ロールオーバジョイントの旋回軸の互いに対向する側にそれぞれ配置されている。削孔ブームがその定位置にある際には、フィードチルトジョイントの旋回軸は、ロールオーバジョイントの旋回軸の垂直方向下方にある。
【００１８】
ある実施形態によると、フィードビームアセンブリのフィードビームの向きは、フィードスイングジョイントの旋回軸に平行である。換言すると、フィードビームに支持された削岩機の削孔方向は、フロントジョイント構成の最後のジョイントの軸に平行である。本実施形態は、ボルティングにおいて主に実装される。
【００１９】
ある実施形態によると、フィードビームアセンブリのフィードビームの向きは、フィードスイングジョイントの旋回軸に垂直である。換言すると、フィードビームに支持された削岩機の削孔方向は、フロントジョイント構成の最後のジョイントの軸に垂直である。本実施形態は、大型切羽削孔機及びトンネル掘削において主に実装される。
【００２０】
ある実施形態によると、ロールオーバジョイントとフィードスイングジョイントの双方の動作角度の大きさは、３６０度である。フィードチルトジョイントは、少なくとも１８０度の角度にて旋回可能である。
【００２１】
ある実施形態によると、フロントジョイント構成の構造は、基本ブーム部の長手軸に対して対称である。本特徴の利点は、該削孔ブームが削岩リグの左側又は右側のいずれのブームとしても使用可能であることである。
【００２２】
ある実施形態によると、ブームアクチュエータは、油圧シリンダ及びモータなどの油圧アクチュエータである。油圧アクチュエータの利点は、大きな力を提供可能でありながら、正確な動作制御をも提供可能であることである。
【００２３】
ある実施形態によると、ロールオーバジョイント及びフィードスイングジョイントの各ブームアクチュエータは油圧モータであり、フィードチルトジョイントは、１つ以上の油圧シリンダによって作動する。
【００２４】
ある実施形態によると、削岩機は、フィードビームの長手方向に平行な削孔中心線を画定し、その削孔中心線上において、削孔中に削孔ツールが回転する。削孔中心線は削孔中心線高さを有し、これは、ロールオーバジョイントの旋回軸に対して測定した横断距離である。該削孔中心線高さは、少なくとも１０００ｍｍである。これにより、向上したリーチ特性が提供され、フィードビームの後端と基本ブーム部との衝突を防止することができる。
【００２５】
ある実施形態によると、ボルティングの実装において、フィードビームアセンブリは、補強ボルトをボルト収納部と削岩機の削孔軸との間において移動させるためのハンドリング装置を備え得る。さらに、ボルティングヘッドが反対方向に旋回可能である場合、ボルト収納部は、キャリアの前部に配置され得る。
【００２６】
さらに、本特許出願において開示された本発明はまた、開示された新たなブーム構成により可能となったブーム運動を制御する、新規かつ改良された方法にも関する。本発明に係る該方法は、本明細書中に開示された特徴及びステップにより特徴付けられている。
【００２７】
上記に開示された実施形態は、上記特徴のそれらを有する適切なソリューションを形成する目的において、必要に応じて組み合わされ得る。
【００２８】
いくつかの実施形態を、以下に添付の図面を参照して、より詳細に説明する。
【図面の簡単な説明】
【００２９】
【図１】地下での削孔のための、切羽削孔ユニットを備える削孔ブームを備える削岩リグの概略側面図である。
【図２】削孔ブームと、フロントジョイントアセンブリの動作と、の概略であり、高度に簡略化した側面図である。
【図３】別の位置における、図２の削孔ブームの概略図である。
【図４】さらに別の位置における、図２の削孔ブームの概略図である。
【図５ａ】切羽削孔用の削孔ブームの概略側面図である。
【図５ｂ】削孔ユニットが旋回し、交差方向及び後方向を向いている状態を示す。
【図５ｃ】削孔ユニットが旋回し、交差方向及び後方向を向いている状態を示す。
【図６ａ】削岩のためのボルティング用の削孔ブームの概略側面図である。
【図６ｂ】切羽ボルティングオプションの原理を示す。
【００３０】
明確に記述するために、各図は、開示されたソリューションのいくつかの実施形態を概略的に示す。図中において、同様の参照符号を用いて同様の構成要素を示す。
【発明を実施するための形態】
【００３１】
図１は、トンネル掘削プロセスにおける切羽削孔用の削岩リグ１を示す。削岩リグ１は、移動可能なキャリア２と、キャリア２に接続された１つ以上の削孔ブーム３と、を備える。削孔リグが複数の削孔ブームを備える場合、その削孔リグは一般的に、大型削孔機と呼ばれる。削孔ブーム３は基本ブーム部ＢＢを備える。基本ブーム部ＢＢは長細で、その第１の端部ＢＢ１がキャリアに可動式に接続されている。基本ブーム部の遠位の、第２の端部ＢＢ２は、フィードビームアセンブリＦＢＡである。フィードビームアセンブリＦＢＡは、フィードビーム５と、フィードビーム５に支持された削岩機６と、を備え得る。削岩機６は、ツール７を接続するために、削岩機６の前端にシャンクを備え得る。フィードビームアセンブリＦＢＡは、手首部とも呼ばれるフロントジョイント構成８によって、基本ブーム部の第２の端部ＢＢ２に接続されている。図１に示すように、削孔ブーム３は、削岩機６及び削孔ツール７を異なる削孔位置及び方向に位置決め可能な、６つの段階の自由度Ｓ１、Ｌ、Ｚ、ＲＯ、Ｔ、Ｓ２を有し得る。
【００３２】
基本ブーム部ＢＢの第１の端部ＢＢ１には、削孔ブーム３全体が横方向に旋回できるよう、つまり、第１のスイング動作Ｓ１が可能となるように、垂直スイングジョイント９が存在し得る。第１の端部ＢＢ１は、削孔ブーム３のリフティングＬのための、水平リフトジョイント１０をさらに備え得る。基本ブーム部ＢＢはまた、伸長及び収縮の目的のためのリニアジョイント１２を備え得る。換言すると、基本ブーム部ＢＢは、ズーム動作Ｚと呼ばれる動作を有し得る。したがって、基本ブーム部ＢＢは、上述の３つのジョイント９、１０、及び１２を備え得る。
【００３３】
第１の端部ＢＢ１には、取り付け板１３ａと、上述のジョイント９及び１０と、を備えるリアジョイントアセンブリ１３が存在し得る。削孔ブーム３は、固定要素を備える取り付け板１３ａによってキャリア２に接続され得る。基本ブーム部ＢＢは、リアジョイントアセンブリ１３とフロントジョイントアセンブリ８との間にいかなる旋回可能又は回転ジョイントを有していなくともよい。換言すると、リニアジョイント１２は、基本ブーム部ＢＢの端部間の唯一のジョイントであり得る。
【００３４】
一般的に、削岩機６、及び削孔ブーム３のアクチュエータは、油圧にて作動可能である。簡略化を理由として、図１には１つのブームアクチュエータ１４のみを示す。ブームアクチュエータは、油圧シリンダ、モータ、又は、油圧動力によって作動する他の機器であり得る。
【００３５】
フロントジョイント構成８又は手首部は、３つの連続するジョイントを備え、これらは基本ブームＢＢの第２の端部ＢＢ２とフィードビームアセンブリＦＢＡとの間に配置されている。これはつまり、これら３つの連続するジョイントが物理的に互いに隣接していることを意味する。フロントジョイント構成８はしたがって、ロールオーバ動作ＲＯと、チルト動作Ｔと、スイング動作Ｓ２とが可能なコンパクトなジョイントシステムである。フロントジョイント構成８のジョイントはそれぞれ、以降の図により具体的に開示されているように、対応する順序ＲＯ−Ｔ−Ｓ２にて配置されている。
【００３６】
図２は、基本ブーム部ＢＢとフィードビームアセンブリＦＢＡとの間の手首部８がロールオーバジョイント１５を備え、ロールオーバジョイント１５の入力リンク１５ａが基本ブーム部ＢＢの端部に接続されていることを示す。フィードチルトジョイント１６の入力リンク１６ａは、ロールオーバジョイント１５の出力リンク１５ｂに接続されており、さらに、フィードスイングジョイント１７の入力リンク１７ａは、フィードチルトジョイント１６の出力リンク１６ｂに接続されている。フィードビームアセンブリＦＢＡは、フィードスイングジョイント１７の出力リンク１７ｂに接続されている。
【００３７】
ロールオーバジョイント１５の旋回軸１８は、基本ブーム部ＢＢの長手軸１９と同心をなし得る。ロールオーバジョイント１５の入力リンク１５ａは、基本ブーム部ＢＢの延長線上において直接接続され得る。これに続くフィードチルトジョイント１６の旋回軸２０は、ロールオーバジョイント１５の旋回軸１８に垂直であり、さらに、フィードスイングジョイント１７の旋回軸２１は、フィードチルトジョイント１６の旋回軸２０に垂直である。図３及び図４に旋回軸１８、２０、及び２１を示す。
【００３８】
図３は、フィードチルトジョイント１６が９０度旋回しており、これにより、フィードビームアセンブリＦＢＡが基本ビーム部ＢＢの中心線の上方に動かされた場合の手首部８を開示する。フィードチルトジョイント１６の旋回範囲は、少なくとも１８０度であってよく、これにより、基本フィードビームアセンブリもまた、中心線の下方を旋回し得る。ロールオーバジョイント１５及びフィードスイングジョイント１７は双方とも、３６０度回転可能である。
【００３９】
図４は、矢印Ｂの方向から見た、ロールオーバジョイント１５が、旋回軸１８に対して限られた大きさの角度にわたって旋回した作動状況における、図３の手首部８を示す。
【００４０】
図５ａは、切羽削孔機器に適したソリューションを開示する。フィードビームアセンブリＦＢＡのフィードビーム５の向きは、フィードスイングジョイント１７に垂直である。これにより、フィードビームの長手軸２２及び削岩機６の削孔方向は、フィードスイングジョイント１７の旋回軸２１に対して直交方向にある。フィードビームアセンブリＦＢＡは、フィードビーム５とフィードスイングジョイント１７とを接続するクレイドル２３を備える。さらに、フィードチルトジョイント１６とフィードスイングジョイント１６との間には、フィードチルトジョイント１６の旋回軸２０とフィードスイングジョイント１７の旋回軸２１との間に距離を設ける接続要素２４があり得る。これにより、旋回軸２０及び２１のそれぞれの延長線は交差せず、フィードチルトジョイント１６を、ロールオーバジョイント１６に可能な限り隣接させることができる。図５ａは、削孔ブーム３及びそのフロントジョイントアセンブリＦＢＡが通常位置にあることを示す。これにより、フィードチルトジョイント１６は、ロールオーバジョイント１５の旋回軸１８の垂直方向下方に位置する。フィードチルトジョイント１６及びフィードスイングジョイント１７は、ロールオーバジョイント１５の旋回軸１８の互いに対向する側にそれぞれ配置されている。
【００４１】
図５ａはさらに、削孔中心線ＤＣとロールオーバジョイント１５の旋回軸１８との間の横断削孔中心線高さｄｃｈが、削孔ブーム３の作動範囲を改善し、フィードビーム５と基本ブーム部ＢＢの衝突を回避する目的で、少なくとも１０００ｍｍとなるよう調整され得ることを開示する。
【００４２】
図５ｂは、削孔が交差方向にも可能であるよう、フィードビームアセンブリＦＢＡが最後のジョイント１７に対して旋回し得ることを概略的に示す。
【００４３】
図５ｃは、フィードビームアセンブリＦＢＡが旋回し、後方向に向き得ることを示す。これにより、削孔ツールの交換が容易となる。キャリア２の前部には、ドリルビット及び他の削孔ツールを収納するための収納部２５があり得る。削孔ツールは、キャリア２に同様に配置され得るツールハンドリング装置２６によって取り扱われ、交換され得る。削孔ブーム３はツールマガジンを有する必要がなく、これにより削孔ブームを軽量化できる。
【００４４】
図６は、開示された削孔ブームソリューションに基づいて岩盤へ実施するボルティングを開示する。削孔ブーム３は、図５ａに示すものと同様であるが、ボルティングヘッドにおいて、フィードビーム５が、フィードスイングジョイント１７の旋回軸２１に平行に向いている構造を有し得る。フィードビームアセンブリＦＢＡは、開けられた孔にロックボルトを供給するために、ロックボルト収納部及びハンドリング装置２６を備え得る。ロールオーバジョイント１５及びフィードチルトジョイント１６を作動させることにより、フィードビームアセンブリＦＢＡは打ち込み面Ａにも向けられ、図６ｂに示すような切羽ボルティングが可能となり得る。
【００４５】
図面及び関連する説明は、本発明の思想を示すことのみを意図する。本発明の細部は、特許請求される範囲内において変化し得る。
【図１】
2019218842.tif 000003
【図２】
2019218842.tif 000004
【図３】
2019218842.tif 000005
【図４】
2019218842.tif 000006
【図５ａ】
2019218842.tif 000007
【図５ｂ】
2019218842.tif 000008
【図５ｃ】
2019218842.tif 000009
【図６ａ】
2019218842.tif 000010
【図６ｂ】
2019218842.tif 000011
【外国語明細書】
2019218842000001.pdf
2019218842000002.pdf
2019218842000003.pdf
2019218842000004.pdf